(57)【要約】【課題】画像データの画像処理に関する技術を提供する。【解決手段】画像データに画像処理を行い、特殊光沢インクを用いて印刷を行う印刷装置に、印刷画像データとして出力する画像処理装置であって、画像データは、複数の角度における分光反射率に基づいた画像の色彩を示す情報である色彩情報と、複数の角度における分光反射率に基づいた画像の光沢の程度を示す情報である光沢程度情報とを含み、入力した画像データの色彩情報と光沢程度情報とに基づいて、印刷装置が印刷に用いるインクのインク量セットを特定する特定部を備え、特定部が特定に用いる色彩情報および光沢度情報は、特殊光沢インク以外の印刷装置が備えるインクの組み合わせによる画像の多角度の分光反射率である非光沢多角度分光反射率と、前記特殊光沢インクによる画像の多角度の分光反射率である光沢多角度分光反射率との積に基づき算出される。【選択図】図８
2013005070.tif 000002
【特許請求の範囲】
【請求項１】
画像を表す画像データに画像処理を行い、特殊光沢を有する特殊光沢インクを用いて印刷を行う印刷装置に、印刷用の印刷画像データとして出力する画像処理装置であって、
前記画像データは、複数の角度における分光反射率に基づいた前記画像の色彩を示す情報である色彩情報と、複数の角度における分光反射率に基づいた前記画像の光沢の程度を示す情報である光沢程度情報とを含み、
前記画像データを入力する入力部と、
前記入力した画像データの前記色彩情報と前記光沢程度情報とに基づいて、前記印刷装置が前記印刷に用いる各インクのインク量の組み合わせであるインク量セットを特定する特定部と、
前記特定した前記インク量セットに基づく印刷用の印刷画像データを前記印刷装置に出力する出力部と
を備え、
前記特定部が前記特定に用いる前記色彩情報および前記光沢度情報は、前記特殊光沢インク以外の前記印刷装置が備えるインクの組み合わせによる画像の多角度の分光反射率である非光沢多角度分光反射率と、前記特殊光沢インクによる画像の多角度の分光反射率である光沢多角度分光反射率との積に基づき算出された情報である
画像処理装置。
【請求項２】
請求項１記載の画像処理装置であって、
前記色彩情報は、前記画像の正反射角における分光反射率に基づく情報を含む
画像処理装置。
【請求項３】
請求項１または請求項２記載の画像処理装置であって、
前記特定部は、
前記特殊光沢インク以外のインクの任意のインク量の組み合わせに対応する前記非光沢多角度分光反射率を特定するモデルである非光沢多角度分光モデルを用いて生成された、前記色彩情報および前記光沢程度情報から、前記インク量セットを特定するインク量特定データを備え、
前記非光沢多角度分光モデルは、
前記特殊光沢インク以外の印刷装置が備えるインクの所定の組数のインク量の組み合わせによる各印刷画像において測定した前記各非光沢多角度分光反射率に基づいて構築した、多角度の分光反射率に拡張したセル分割ユール・ニールセン分光ノイゲバウアモデル（Cellular Yule-Nielsen Spectral Neugebauer Model）である
画像処理装置。
【請求項４】
請求項３記載の画像処理装置であって、
前記インク量特定データは、前記色彩情報と前記光沢程度情報とを軸として、各格子点にインク量セットが格納されたルックアップテーブルである
画像処理装置。
【請求項５】
請求項１ないし請求項４のいずれかに記載の画像処理装置と、
前記印刷画像データに基づいて印刷を実行する印刷部と
を備える印刷装置。
【請求項６】
画像を表す画像データに画像処理を行い、特殊光沢を有する特殊光沢インクを用いて印刷を行う印刷装置に、印刷用の印刷画像データとして出力する画像処理方法であって、
前記画像データは、複数の角度における分光反射率に基づいた前記画像の色彩を示す情報である色彩情報と、複数の角度における分光反射率に基づいた前記画像の光沢の程度を示す情報である光沢程度情報とを含み、
前記画像データを入力する入力工程と、
前記入力した画像データの前記色彩情報と前記光沢程度情報とに基づいて、前記印刷装置が前記印刷に用いる各インクのインク量の組み合わせであるインク量セットを特定する特定工程と、
前記特定した前記インク量セットに基づく印刷用の印刷画像データを前記印刷装置に出力する出力工程と、
を備え、
前記特定工程において用いる前記色彩情報および前記光沢度情報は、前記特殊光沢インク以外の前記印刷装置が備えるインクの組み合わせによる画像の多角度の分光反射率である非光沢多角度分光反射率と、前記特殊光沢インクによる画像の多角度の分光反射率である光沢多角度分光反射率との積に基づき算出された情報である
画像処理方法。
【請求項７】
特殊光沢を用いて表現された特殊光沢色を、特殊光沢を有する特殊光沢インクを含む複数のインクの量の組み合わせであるインク量セットに変換するためのルックアップテーブルを用いる印刷装置の製造方法であって、
所定の組数のインク量セットであるサンプルインク量セットを準備するサンプルインク量セット準備工程と、
前記サンプルインク量セットの各々において、前記特殊光沢インク以外のインクの組み合わせによる画像の多角度の分光反射率である非光沢多角度分光反射率と、前記特殊光沢インクによる画像の多角度の分光反射率である光沢多角度分光反射率とを測定する測定工程と、
前記各サンプルインク量セットによる画像の多角度分光反射率を、前記非光沢多角度分光反射率と前記光沢多角度分光反射率との積に基づき算出する算出工程と、
前記算出した多角度分光反射率と、該多角度分光反射率から前記特殊光沢色の色彩および前記特殊光沢の光沢の程度を算出する算出手段とを利用して、前記特殊光沢の色彩と前記特殊光沢色の光沢の程度とを軸とする前記ルックアップテーブルの各格子点にインク量セットを格納して前記ルックアップテーブルを生成するルックアップテーブル生成工程と、
前記生成されたルックアップテーブルを前記印刷装置に関連付ける工程と
を備える印刷装置の製造方法。
【発明の詳細な説明】
【技術分野】
【０００１】
本発明は、画像処理装置に関し、詳しくは、印刷対象画像を表す画像データに対して画像処理を行い印刷装置に出力する画像処理装置、及びそれに関連する印刷技術に関する。
【背景技術】
【０００２】
従来から、印刷画像において、印刷対象物の金属光沢や艶などの特殊光沢を精度良く再現したいという要望があった。例えば特許文献１では、特殊光沢を有する印刷対象物の色彩と光沢感とを別個のパラメーターとして画像データとして記録し、印刷画像に反映する技術が開示されている。しかし、光沢感は種々の観察角度によって視認性が異なるため、このような特性も精度良く再現したいという要望があった。
【先行技術文献】
【特許文献】
【０００３】
【特許文献１】特開２００６−２６１８１９号公報
【発明の概要】
【発明が解決しようとする課題】
【０００４】
上記の問題を踏まえ、本発明が解決しようとする課題は、印刷画像において、特殊光沢の光沢感を精度良く再現することである。
【課題を解決するための手段】
【０００５】
本発明は、上述の課題の少なくとも一部を解決することを目的になされたものであり、以下の形態又は適用例として実現することが可能である。
【０００６】
［適用例１］
画像を表す画像データに画像処理を行い、特殊光沢を有する特殊光沢インクを用いて印刷を行う印刷装置に、印刷用の印刷画像データとして出力する画像処理装置であって、前記画像データは、複数の角度における分光反射率に基づいた前記画像の色彩を示す情報である色彩情報と、複数の角度における分光反射率に基づいた前記画像の光沢の程度を示す情報である光沢程度情報とを含み、前記画像データを入力する入力部と、前記入力した画像データの前記色彩情報と前記光沢程度情報とに基づいて、前記印刷装置が前記印刷に用いる各インクのインク量の組み合わせであるインク量セットを特定する特定部と、前記特定した前記インク量セットに基づく印刷用の印刷画像データを前記印刷装置に出力する出力部とを備え、前記特定部が前記特定に用いる前記色彩情報および前記光沢度情報は、前記特殊光沢インク以外の前記印刷装置が備えるインクの組み合わせによる画像の多角度の分光反射率である非光沢多角度分光反射率と、前記特殊光沢インクによる画像の多角度の分光反射率である光沢多角度分光反射率との積に基づき算出された情報である画像処理装置。
【０００７】
この画像処理装置によると、画像の複数の角度における分光反射率に基づく、色彩情報と光沢程度情報と含んだ画像データに対して、その色彩情報と光沢程度情報とに基づいてインク量セットを特定するので、画像の色彩および光沢の程度を精度良く再現することができる。
【０００８】
［適用例２］
適用例１記載の画像処理装置であって、前記色彩情報は、前記画像の正反射角における分光反射率に基づく情報を含む画像処理装置。
【０００９】
この画像処理装置によると、画像のブロンジングに影響された色彩値を印刷画像において再現するように画像処理を行うことができる。
【００１０】
［適用例３］
適用例１または適用例２記載の画像処理装置であって、前記特定部は、前記特殊光沢インク以外のインクの任意のインク量の組み合わせに対応する前記非光沢多角度分光反射率を特定するモデルである非光沢多角度分光モデルを用いて生成された、前記色彩情報および前記光沢程度情報から、前記インク量セットを特定するインク量特定データを備え、前記非光沢多角度分光モデルは、前記特殊光沢インク以外の印刷装置が備えるインクの所定の組数のインク量の組み合わせによる各印刷画像において測定した前記各非光沢多角度分光反射率に基づいて構築した、多角度の分光反射率に拡張したセル分割ユール・ニールセン分光ノイゲバウアモデル（Cellular Yule-Nielsen Spectral Neugebauer Model）である画像処理装置。
【００１１】
この画像処理装置によると、多角度の分光反射率に拡張したセル分割ユール・ニールセン分光ノイゲバウアモデルを非光沢多角度分光モデルとして用いるので、精度良く非光沢多角度分光反射率を特定することができる。
【００１２】
［適用例４］
適用例３記載の画像処理装置であって、前記インク量特定データは、前記色彩情報と前記光沢程度情報とを軸として、各格子点にインク量セットが格納されたルックアップテーブルである画像処理装置。
【００１３】
この画像処理装置によると、インク量特定データはルックアップテーブルなので、インク量セットの特定を比較的簡易な処理として行うことができる。
【００１４】
［適用例５］
適用例１ないし適用例４のいずれかに記載の画像処理装置と、前記印刷画像データに基づいて印刷を実行する印刷部とを備える印刷装置。
【００１５】
この印刷装置によると、画像の複数の角度における分光反射率に基づく、色彩情報と光沢程度情報と含んだ画像データに対して、その色彩情報と光沢程度情報とに基づいてインク量セットを特定するので、画像の色彩および光沢の程度を精度良く再現した印刷を行うことができる。
【００１６】
［適用例６］
画像を表す画像データに画像処理を行い、特殊光沢を有する特殊光沢インクを用いて印刷を行う印刷装置に、印刷用の印刷画像データとして出力する画像処理方法であって、前記画像データは、複数の角度における分光反射率に基づいた前記画像の色彩を示す情報である色彩情報と、複数の角度における分光反射率に基づいた前記画像の光沢の程度を示す情報である光沢程度情報とを含み、前記画像データを入力する入力工程と、前記入力した画像データの前記色彩情報と前記光沢程度情報とに基づいて、前記印刷装置が前記印刷に用いる各インクのインク量の組み合わせであるインク量セットを特定する特定工程と、前記特定した前記インク量セットに基づく印刷用の印刷画像データを前記印刷装置に出力する出力工程と、を備え、前記特定工程において用いる前記色彩情報および前記光沢度情報は、前記特殊光沢インク以外の前記印刷装置が備えるインクの組み合わせによる画像の多角度の分光反射率である非光沢多角度分光反射率と、前記特殊光沢インクによる画像の多角度の分光反射率である光沢多角度分光反射率との積に基づき算出された情報である
画像処理方法。
【００１７】
この画像処理方法によると、画像の複数の角度における分光反射率に基づく、色彩情報と光沢程度情報と含んだ画像データに対して、その色彩情報と光沢程度情報とに基づいてインク量セットを特定するので、画像の色彩および光沢の程度を精度良く再現することができる。
【００１８】
［適用例７］
特殊光沢を用いて表現された特殊光沢色を、特殊光沢を有する特殊光沢インクを含む複数のインクの量の組み合わせであるインク量セットに変換するためのルックアップテーブルを用いる印刷装置の製造方法であって、所定の組数のインク量セットであるサンプルインク量セットを準備するサンプルインク量セット準備工程と、前記サンプルインク量セットの各々において、前記特殊光沢インク以外のインクの組み合わせによる画像の多角度の分光反射率である非光沢多角度分光反射率と、前記特殊光沢インクによる画像の多角度の分光反射率である光沢多角度分光反射率とを測定する測定工程と、前記各サンプルインク量セットによる画像の多角度分光反射率を、前記非光沢多角度分光反射率と前記光沢多角度分光反射率との積に基づき算出する算出工程と、前記算出した多角度分光反射率と、該多角度分光反射率から前記特殊光沢色の色彩および前記特殊光沢の光沢の程度を算出する算出手段とを利用して、前記特殊光沢の色彩と前記特殊光沢色の光沢の程度とを軸とする前記ルックアップテーブルの各格子点にインク量セットを格納して前記ルックアップテーブルを生成するルックアップテーブル生成工程と、前記生成されたルックアップテーブルを前記印刷装置に関連付ける工程とを備える印刷装置の製造方法。
【００１９】
この印刷装置の製造方法によると、特殊光沢の色彩と特殊光沢の程度とを再現したインク量セットを格子点に格納したルックアップテーブルを記憶した、印刷装置を製造することができる。
【００２０】
［適用例８］
特殊光沢を用いて表現された特殊光沢色を、特殊光沢を有する特殊光沢インクを含む複数のインクの量の組み合わせであるインク量セットに変換するための、印刷に用いるルックアップテーブルの生成方法であって、所定の組数のインク量セットであるサンプルインク量セットを準備するサンプルインク量セット準備工程と、前記サンプルインク量セットの各々において、前記特殊光沢インク以外のインクの組み合わせによる画像の多角度の分光反射率である非光沢多角度分光反射率と、前記特殊光沢インクによる画像の多角度の分光反射率である光沢多角度分光反射率とを測定する測定工程と、前記各サンプルインク量セットによる画像の多角度分光反射率を、前記非光沢多角度分光反射率と前記光沢多角度分光反射率との積に基づき算出する算出工程と、前記算出した多角度分光反射率と、該多角度分光反射率から前記特殊光沢色の色彩および前記特殊光沢の光沢の程度を算出する算出手段とを利用して、前記特殊光沢の色彩と前記特殊光沢色の光沢の程度とを軸とする当該ルックアップテーブルの各格子点にインク量セットを格納するインク量セット格納工程とを備えるルックアップテーブルの生成方法。
【００２１】
このルックアップテーブルの生成方法によると、特殊光沢の色彩と特殊光沢の程度とを再現したインク量セットを格子点に格納することができる。
【００２２】
［適用例９］
適用例７記載のルックアップテーブルの生成方法であって、前記算出工程は、前記非光沢多角度分光反射率をＲｃ（λ，θ）、前記光沢多角度分光反射率をＲｍ（λ，θ）、前記印刷に用いる印刷媒体の多角度の分光反射率をＲｗ（λ，θ）、λを分光反射率の波長成分、θを分光反射率の測定角度、ｉｃを前記特殊光沢インク以外のインクの組み合わせによるインク量、ｉｓを特殊光沢インクのインク量、ｉを特殊光沢インクを含めたインク量セットのインク量とした場合に、
Ｒ（λ，θ，ｉ）＝Ｒｃ（λ，θ，ｉｃ）・Ｒｍ（λ，θ，ｉｓ）／Ｒｗ（λ，θ）
で定義される多角度分光反射率Ｒ（λ，θ，ｉ）を、前記各サンプルインク量セットによる画像の多角度分光反射率として算出するルックアップテーブルの生成方法。
【００２３】
このルックアップテーブルの生成方法によると、特殊光沢インクを含めたインク量セットの多角度分光反射率を、非光沢多角度分光反射率Ｒｃ（λ，θ）と、光沢多角度分光反射率Ｒｍ（λ，θ）とを用いた上記式によって算出する。よって、非光沢多角度分光反射率Ｒｃ（λ，θ）と、光沢多角度分光反射率Ｒｍ（λ，θ）を別個に取得すれば、インク量セット（特殊光沢インクを含めたインク量セット）の多角度分光反射率を直接的に求めることを要せずにルックアップテーブルを生成することができる。
【図面の簡単な説明】
【００２４】
【図１】印刷システム１０の概略構成について説明した説明図である。
【図２】プリンター２００の構成図である。
【図３】画像データＯＲＧ−Ａついて説明する説明図である。
【図４】印刷処理の流れについて説明したフローチャートである。
【図５】色変換ＬＵＴ生成装置３００の構成を説明する説明図である。
【図６】初期ＬＵＴ３３２のデータ構造を説明する説明図である。
【図７】ＬＵＴ生成処理の流れについて説明したフローチャートである。
【図８】多角度分光プリンティングモデルコンバーターＲＣについて説明する説明図である。
【図９】メタリック程度値コンバーターＤｍＣ及びメタリック色彩値コンバーターＣｍＣについて説明する説明図である。
【図１０】最適化処理の流れについて説明するフローチャートである。
【図１１】ニューラルネットワークによる多角度分光反射率の予測を説明する説明図である。
【発明を実施するための形態】
【００２５】
本発明の実施の形態を実施例に基づいて説明する。
Ａ．第１実施例：
（Ａ１）システム構成：
図１は、本発明の第１実施例としての印刷システム１０の概略構成について説明した説明図である。印刷システム１０は、印刷制御装置としてのコンピューター１００と、コンピューター１００の制御の下で実際に画像を印刷するプリンター２００とで構成されている。印刷システム１０は、全体が一体となって広義の印刷装置として機能する。
【００２６】
コンピューター１００は、ＣＰＵ２０と、ＲＯＭ６０と、ＲＡＭ６２と、ハードディスク（ＨＤＤ）６６とを備える。また、コンピューター１００は、ディスプレイ７０、キーボード７２、マウス７４と、各ケーブルにより接続されている。コンピューター１００には、所定のオペレーティングシステムがインストールされており、このオペレーティングシステムの下で、アプリケーションプログラム３０、ビデオドライバー４０、プリンタードライバー５０が動作している。これらのプログラムの機能は、ＲＯＭ６０、又はＲＡＭ６２、ＨＤＤ６６に記憶されており、ＣＰＵ２０が、各プログラムをこれらの記憶領域から読み出して実行することにより実現される。
【００２７】
アプリケーションプログラム３０は、データ供給部８０としてのメモリカードから取得した画像データＯＲＧを再生するためのプログラムである。画像データＯＲＧを構成する各画素の画素データは、当該画素の色を、予め定義付けた金属光沢上の色彩値（以下、メタリック色彩値Ｃｍとも呼ぶ）と、金属光沢の程度値（以下、メタリック程度値Ｄｍとも呼ぶ）とで記録している。メタリック色彩値Ｃｍはレッド（Ｒ）、グリーン（Ｇ）、ブルー（Ｂ）の階調値で記録され、メタリック程度値Ｄｍはスカラー量であり、階調値で記録されている。以下、これらの値をまとめて画素の色成分値（Ｃｍ，Ｄｍ）や、（Ｒ，Ｇ，Ｂ，Ｄｍ）と表記することもある。これら画像データＯＲＧの詳細は後で説明する。
【００２８】
アプリケーションプログラム３０は、画像データＯＲＧの色成分値を予め設定された印刷標準色に変換するためのソースプロファイル３１と、印刷対象画像の色を所定の印刷媒体上で再現するためのメディアプロファイル３２とを、ＨＤＤ６６からＲＡＭ６２に読み込んで備える。後述する印刷処理を開始すると、アプリケーションプログラム３０は、取得した画像データＯＲＧに対して、ソースプロファイル３１、メディアプロファイル３２を用いてデータ変換を行う。以下、説明の便宜上、データ供給部８０から入力した画像データＯＲＧを画像データＯＲＧ−Ａ、ソースプロファイル３１でデータ変換後の画像データＯＲＧを画像データＯＲＧ−Ｂ、メディアプロファイル３２でデータ変換後の画像データＯＲＧを画像データＯＲＧ−Ｃと表記することがある。
【００２９】
ソースプロファイル３１は、画像データＯＲＧ−Ａの色成分値（Ｒ，Ｇ，Ｂ，Ｄｍ）のうち、１組のメタリック色彩値（Ｒ，Ｇ，Ｂ）に対して、１組の（Ｌ*，ａ*，ｂ*）の値を出力する３次元ルックアップテーブルである。また、メタリック程度値Ｄｍは、ソースプロファイル３１を用いたデータ変換後も残存して画素データに記録されている。すなわち、ソースプロファイル３１でデータ変換後の画像データＯＲＧ−Ｂの各画素データの色成分値は（Ｌ*，ａ*，ｂ*，Ｄｍ）の形式で記録されている。
【００３０】
メディアプロファイル３２は、ソースプロファイル３１で変換後の画像データＯＲＧの色成分値（Ｌ*，ａ*，ｂ*、Ｄｍ）のうち、１組の（Ｌ*，ａ*，ｂ*）の色成分値に対して、１組の（Ｒ，Ｇ，Ｂ）の色成分値を出力する３次元ルックアップテーブルである。また、メタリック程度値Ｄｍは、メディアプロファイル３２を用いたデータ変換後も残存して画素データに記録されている。すなわち、メディアプロファイル３２でデータ変換後の画像データＯＲＧの各画素データの色成分値は（Ｒ，Ｇ，Ｂ，Ｄｍ）の形式で記録されている。以下、画像データＯＲＧ−Ａの色成分値を（Ｃｍ０，Ｄｍ０）、画像データＯＲＧ−Ｃの色成分値を（Ｃｍ１，Ｄｍ１）と呼ぶことがある。
【００３１】
プリンタードライバー５０は、色変換モジュール５２と、ハーフトーンモジュール５４と、インターレースモジュール５６とを備える。色変換モジュール５２は、ＲＡＭ６２が備える色変換ルックアップテーブル６４（以下、色変換ＬＵＴ６４とも呼ぶ）を用いて、アプリケーションプログラム３０から取得した画像データＯＲＧ−Ｃの各画素データの色成分値（Ｒ，Ｇ，Ｂ，Ｄｍ）を、プリンター２００が備えるインク色のインク量の組み合わせ（以下、インク量セットとも呼ぶ）に変換する。色変換ルックアップテーブル６４は、印刷システム１０の製造時に、ＲＯＭ６０、ＲＡＭ６２、又はＨＤＤ６６の記憶部に記憶される。色変換ＬＵＴ６４については後で詳しく説明する。
【００３２】
ハーフトーンモジュール５４は、色変換後のインク量セットに対して２値化処理を行いドットデータの生成処理（以下、ハーフトーン処理とも呼ぶ）を行う。具体的には、ハーフトーンモジュール５４は、プリンタードライバー５０が予め用意しているディザマトリックス（図示省略）を用いて、色変換されインク量セットで表現されている画像データＯＲＧ（以下、画像データＯＲＧ−Ｄとも呼ぶ）に対して、ドットのオン／オフによって表現されたドットデータを生成する。ハーフトーンモジュール５４により、インク量の階調によって表現されていた画像データＯＲＧは、ドットの分布によって表現されたデータになる。インターレースモジュール５６は、生成されたドットデータのドットの並びを、プリンター２００に転送すべき順序に並べ替えて、印刷データとしてプリンター２００に出力すると共に、印刷開始コマンドや印刷終了コマンドなどの種々のコマンドをプリンター２００に出力することで、プリンター２００の制御を行う。
【００３３】
図２は、プリンター２００の構成図である。図２に示すように、プリンター２００は、プリンター２００全体の制御を司るとともにコンピューター１００から印刷データを受信する制御回路２２０と、操作パネル２２５とを備える。さらに、プリンター２００は、紙送りモーター２３５によって印刷媒体Ｐを搬送する機構と、キャリッジモーター２３０によってキャリッジ２４０をプラテン２３６の軸方向に往復動させる機構と、キャリッジ２４０に搭載された印刷ヘッド２６０を駆動してインクの吐出及びドット形成を行う機構と、これらの紙送りモーター２３５，キャリッジモーター２３０，印刷ヘッド２６０とを備える。
【００３４】
制御回路２２０は、ＣＰＵや、ＲＯＭ、ＲＡＭ、ＰＩＦ（周辺機器インターフェース）等がバスで相互に接続されて構成されており、キャリッジモーター２３０及び紙送りモーター２３５の動作を制御することによってキャリッジ２４０の主走査動作及び副走査動作の制御を行う。また、ＰＩＦを介してコンピューター１００から出力された印刷データを受け取ると、制御回路２２０が、キャリッジ２４０の主走査あるいは副走査の動きに合わせて、印刷データに応じた駆動信号を印刷ヘッド２６０に供給し、各色のヘッドを駆動することが可能となっている。
【００３５】
キャリッジ２４０には、Ｃ（シアン）・Ｍ（マゼンダ）・Ｙ（イエロー）・Ｋ（ブラック）の各カラーインクに加え、金属光沢を有するメタリックインク（以下、Ｍｔとも呼ぶ）からなる、合計５色のインクがそれぞれ収容されたインクカートリッジ２４１〜２４５が搭載されている。キャリッジ２４０の下部の印刷ヘッド２６０には、上述の各色のインクに対応する５種類のノズル列２６１〜２６５が形成されている。キャリッジ２４０にインクカートリッジ２４１〜２４５を上方から装着すると、各カートリッジから各ノズル列２６１〜２６５へのインクの供給が可能となる。本実施例では、インクカートリッジ２４１〜２４５は、図２に示すように、キャリッジ２４０の主走査方向にＣ，Ｍ，Ｙ，Ｋ，Ｍｔの順に配列されている。各ノズルにはピエゾ素子が備えられており、制御回路２２０がピエゾ素子の収縮運動を制御することによって、プリンター２００は各インク色に対してドットを形成することが可能である。
【００３６】
これらのインク（Ｃ，Ｍ，Ｙ，Ｋ，Ｍｔ）を用いて印刷を行う場合、図に示すように、カラーインクを吐出する各ノズル列２６１〜２６４の副走査方向の後半部分と、メタリックインクを吐出するノズル列２６５の副走査方向の前半部分とを用いて印刷を行う。このように各ノズル列を用いて、印刷媒体Ｐに対して、先にメタリックインク（Ｍｔ）のドットを形成し、その上にカラーインクのドットを形成することによって、種々の色合いの金属光沢を印刷画像で表現することが可能である。
【００３７】
ここでメタリックインクの詳細について説明する。メタリックインクとは、印刷物がメタリック感を発現するインクであり、このようなメタリックインクとしては、例えば、金属顔料と有機溶剤と樹脂とを含む油性インク組成物を用いることができる。視覚的に金属的な質感を効果的に生じさせるためには、前述の金属顔料は、平板状の粒子であることが好ましく、この平板状粒子の平面上の長径をＸ、短径をＹ、厚みをＺとした場合、平板状粒子のＸ−Ｙ平面の面積より求めた円相当径の５０％平均粒子径Ｒ５０が０．５〜３μｍであり、かつ、Ｒ５０／Ｚ＞５の条件を満たすことが好ましい。
【００３８】
このような金属顔料は、例えば、アルミニウムやアルミニウム合金によって形成することができ、また、金属蒸着膜を破砕して作成することも可能である。メタリックインクに含まれる金属顔料の濃度は、例えば、０．１〜１０．０重量％とすることができる。もちろん、メタリックインクはこのような組成に限らず、メタリック感が生じる組成であれば他の組成を適宜採用することが可能である。本実施例では、メタリックインクの組成は、アルミニウム顔料１．５重量％、グリセリン２０重量％、トリエチレングリコールモノブチルエーテル４０重量％、ＢＹＫ−ＵＶ３５００（ビックケミー・ジャパン株式会社製）０．１重量％とした。
【００３９】
（Ａ２）印刷処理：
次に印刷システム１０が画像データＯＲＧに行う印刷処理について説明する。先に、印刷システム１０がデータ供給部８０から取得した画像データＯＲＧ−Ａについて説明する。図３は画像データＯＲＧ−Ａついて説明する説明図である。上述したように、画像データＯＲＧ−Ａの各画素データは、色の成分値を、メタリック色彩値Ｃｍと、メタリック程度値Ｄｍによって規定している。
【００４０】
メタリック色彩値Ｃｍ（Ｒ，Ｇ，Ｂ）とは、複数の反射角（分光反射率の測定角度）における、印刷の対象となる画像の分光反射率（多角度分光反射率）に基づいて特定した、画像の色彩を表す値である。例えば、分光反射率を測定する印刷対象物の測定面に対する垂直方向を基準方向（θ＝０°）として、基準方向に対してθ＝４５°の入射角で入射光を印刷対象物に照射し、反射角θ＝０°、−４５°等の複数の角度における分光反射率を測定する。その後、各分光反射率を、等色関数を用いて、それぞれ、Ｌ*ａ*ｂ*に変換する。本実施例においては、測色をする際に一般に採用する反射角θ＝０°と、ブロンジング現象（金光り）が顕著に表れるθ＝―４５°（正反射角）における分光反射率を測定する。その後、得られた２つのＬ*ａ*ｂ*（反射角θ＝０°，―４５°）に基づいて、所定のデータおよび変換式に基づいて、（Ｒ，Ｇ，Ｂ）で規定するメタリック色彩値Ｃｍに変換する。変換に用いる所定のデータは、例えば、金属光沢を有する種々の色見本（カラーパッチ）を用いた多角度分光反射率（本実施例では、反射角θ＝０°，―４５°）と、そのカラーパッチの生成に用いたインク量セット、及びそのインク量セットで表現される（Ｒ，Ｇ，Ｂ）とを対応付ける実測データや、その実測データに基づく予測モデルを用いることができる。
【００４１】
一方、メタリック程度値Ｄｍとは、基準方向に対して複数の反射角（分光反射率の測定角度）における画像の分光反射率（多角度分光反射率）に基づく、画像の光沢の程度を表す値である。例えば、基準方向に対してθ＝４５°の入射角で入射光を印刷対象物に照射し、反射角θ＝−３０°、−４５°等の複数の角度における分光反射率を測定する。その後、各分光反射率を等色関数を用いて、それぞれ、Ｌ*ａ*ｂ*に変換する。そして、変換後の各Ｌ*ａ*ｂ*のうち各明度値「Ｌ*」（以下、各反射角における明度値を、Ｌ*（−３０°）や、Ｌ*（−４５°）と記載することがある）から、スカラー量としてのメタリック程度値Ｄｍを所定の方法により特定する。複数の明度値Ｌ*と、ひとつのスカラー量としてのメタリック程度値Ｄｍとの対応を規定する方法としては、例えば、メタリックインクＭｔを複数の段階のインク量において印刷した色見本としてのパッチ（メタリックパッチとも呼ぶ）を用いて、実験により、明度値Ｌ*（例えばＬ*（−３０°）とＬ*（−４５°））とメタリック程度値Ｄｍとの対応関係を構築し、その他の明度値Ｌ*とメタリック程度値Ｄｍとの対応を、補間により算出して規定する。このようにして画像データＯＲＧ−Ａは規定されている。なお、画像データＯＲＧ−Ａは、色成分値を（Ｒ，Ｇ，Ｂ，Ｄｍ）として規定するため、印刷対象物に金属光沢を有さない所定の色の領域が存在する場合は、画像データＯＲＧ−Ａにおける当該領域に対応する色成分値が、Ｄｍ＝０として記録されることもある。
【００４２】
本実施例では、Ｌ*（−３０°）や、Ｌ*（−４５°）からスカラー量としてのメタリック程度値Ｄｍを特定したが、メタリック程度値ＤｍをＬ*（−３０°）や、Ｌ*（−４５°）からなるベクトル量として規定して印刷システム１０に適用してもよい。
【００４３】
また本実施例では、分光反射率計を用いてメタリック色彩値Ｃｍおよびメタリック程度値Ｄｍを測定し画像データとして記録するが、例えば、印刷対象物の多角度の反射光をミラーや複数のＣＣＤ（Charge Coupled Device Image Sensor）等を用いて受光し、印刷対象物の多角度分光反射率を測定可能なスキャナー等を用いて、印刷対象物のメタリック色彩値Ｃｍおよびメタリック程度値Ｄｍを画像データとして記録するとしてもよい。
【００４４】
次に、ＣＰＵ２０が行う印刷処理の流れについて説明する。図４は、印刷処理の流れについて説明したフローチャートである。印刷処理は、ユーザーがアプリケーションプログラム３０上で印刷を指示することによって開始される。印刷処理が開始されると、ＣＰＵ２０は、アプリケーションプログラム３０の機能として、ソースプロファイル３１を用いて、色成分値（Ｒ，Ｇ，Ｂ，Ｄｍ）によって記録されている画像データＯＲＧ−Ａを、色成分値（Ｌ*，ａ*，ｂ*，Ｄｍ）によって規定される画像データＯＲＧ−Ｂにデータ変換（ソースプロファイル変換）する（ステップＳ１１２）。その後、ＣＰＵ２０は、メディアプロファイル３２を用いて、色成分値（Ｌ*，ａ*，ｂ*，Ｄｍ）によって規定されている画像データＯＲＧ−Ｂを、色成分値（Ｒ，Ｇ，Ｂ，Ｄｍ）によって規定される画像データＯＲＧ−Ｃにデータ変換（メディアプロファイル変換）する（ステップＳ１１４）。すなわち、アプリケーションプログラム３０によって、色成分値（Ｃｍ，Ｄｍ）で記録されている画像データＯＲＧ−Ａの、メタリック色彩値Ｃｍの（Ｒ，Ｇ，Ｂ）の値を、印刷標準色および印刷媒体に合わせて調整しており、アプリケーションプログラム３０から出力される画像データＯＲＧ−Ｃも、色成分値は（Ｃｍ，Ｄｍ）の形式である。
【００４５】
メディアプロファイル変換を行った後、ＣＰＵ２０は、色変換モジュール５２の機能として、色変換ＬＵＴ６４を用いて、画像データＯＲＧ−Ｃの色成分値（Ｒ，Ｇ，Ｂ，Ｄｍ）を、プリンター２００が備えるＣ，Ｍ，Ｙ，Ｋ，Ｍｔのインク量で規定されるインク量セット（Ｃ，Ｍ，Ｙ，Ｋ，Ｍｔ）に色変換する（ステップＳ１１６）。以下、インク量セットのデータをインク量データとも呼ぶ。
【００４６】
色変換ルックアップテーブル６４は、Ｒ，Ｇ，Ｂ，Ｄｍの４つの軸によって構成される４次元のルックアップテーブルであり、各格子点には、それぞれインク量セット（Ｃ，Ｍ，Ｙ，Ｋ，Ｍｔ）が格納されている。色変換ルックアップテーブル６４の軸である（Ｒ，Ｇ，Ｂ）はメタリック色彩値Ｃｍに、すなわち、金属光沢上の色彩値としての（Ｒ，Ｇ，Ｂ）を示している。色変換ルックアップテーブル６４の各格子点には、画像データＯＲＧ―Ａに記録されているメタリック色彩値Ｃｍとメタリック程度値Ｄｍとで定まる金属光沢における色彩および光沢の程度を再現するように調整された（Ｃ，Ｍ，Ｙ，Ｋ，Ｍｔ）のインク量セットが格納されている。また、各インク量Ｃ、Ｍ、Ｙ、Ｋ、Ｍｔは、それぞれ０〜２５５の階調で規定されている。このような色変換ルックアップテーブル６４を用いて色変換モジュール５２は色変換処理を行う。
【００４７】
色変換処理を行った後、ＣＰＵ２０は、インク量データに対してハーフトーン処理（ステップＳ１１８）、およびインターレース処理（ステップＳ１２０）を行い、プリンター２００において印刷を実行させる（ステップＳ１２２）。このようにして、印刷システム１０は印刷処理を行う。
【００４８】
（Ａ３）色変換ＬＵＴの生成方法：
次に、色変換処理（図４：ステップＳ１１６）に用いる色変換ＬＵＴ６４の生成方法について説明する。色変換ＬＵＴ６４は、色変換ＬＵＴ生成装置３００を用いて生成する。図５は色変換ＬＵＴ生成装置３００の構成を説明する説明図である。色変換ＬＵＴ生成装置３００は、ＣＰＵ３１０と、ＲＯＭ３２０と、ＲＡＭ３３０と、ハードディスク（ＨＤＤ）３４０と、図示しないモニターや各種入出力インターフェースを備えるコンピューターとして構成されている。ＣＰＵ３１０は、処理対象格子点選択部３１２と、最適化処理部３１４と、ＬＵＴ更新部３１６とを備える。さらに、最適化処理部３１４は、多角度分光プリンティングモデルコンバーターＲＣと、メタリック程度値コンバーターＤｍＣと、メタリック色彩値コンバーターＣｍＣとを備える。これらの処理部は、ＲＯＭ３２０に記憶されているプログラムをＣＰＵ３１０がＲＡＭ３３０に読み出して実行することにより実現される。また、ＲＡＭ３３０は、初期ＬＵＴ３３２を記憶している。ＨＤＤ３４０は、評価関数３４４を記憶している。
【００４９】
色変換ＬＵＴ６４は、色変換ＬＵＴ生成装置３００が、後述するＬＵＴ生成処理を行い、初期ＬＵＴ３３２の各格子点に格納されているインク量セットを最適化して更新することによって生成される。図６は、初期ＬＵＴ３３２のデータ構造を説明する説明図である。初期ＬＵＴ３３２は、メタリック程度値Ｄｍと、メタリック色彩値Ｃｍ（Ｒ，Ｇ，Ｂ）とを入力値の軸として備え、インク量セット（Ｃ，Ｍ，Ｙ，Ｋ，Ｍｔ）を出力値とする。ＬＵＴ生成処理前の初期ＬＵＴ３３２の各格子点には、更新前のインク量セット（以下、初期インク量セットとも呼ぶ）が格納されている。初期インク量セットは、種々の方法によって設定可能である。例えば、インク量セット（Ｃ，Ｍ，Ｙ，Ｋ，Ｍｔ）＝（２５５，０，０，０，０）、（０，２５５，０，０，０）、（０，０，２５５，０，０）、（０，０，０，２５５，０）、（０，０，０，０，２５５）など、数組の代表となるインク量セット（代表インク量セット）を選択し、その代表インク量セットで実際に印刷を行った色見本としてのカラーパッチを作成し、カラーパッチの多角度の分光反射率の測定および等色関数を用いた演算を行うことにより、各代表インク量セットのメタリック色彩値Ｃｍとメタリック程度値Ｄｍとを特定する。そして、特定したメタリック色彩値Ｃｍ（Ｒ，Ｇ，Ｂ）とメタリック程度値Ｄｍとに対応する初期ＬＵＴ３３２の各格子点に、対応する各代表インク量セットを格納する。このようにして、数個の格子点に代表インク量セットを格納し、残りの格子点には、既に代表インク量セットが格納されている格子点に基づいて、所定の補間演算によってインク量セットを格納する。本実施例では、このようにして、初期ＬＵＴ３３２は作成され、ＲＡＭ３３０に記憶されている。
【００５０】
次に、ＣＰＵ３１０が行うＬＵＴ生成処理について説明する。図７は、ＬＵＴ生成処理の流れについて説明したフローチャートである。色変換ＬＵＴ生成処理が開始されると、ＣＰＵ３１０が処理対象格子点選択部３１２の機能として、所定の順序に従って初期ＬＵＴ３３２から、処理の対象である処理対象格子点を選択する（ステップＳ２０２）。そして、ＣＰＵ３１０は、処理対象格子点に格納されているインク量セットを読み込む（ステップＳ２０４）。その後、ＣＰＵ３１０は最適化処理部３１４の機能として、読み込んだ処理対象格子点のインク量セットの各インク量の値を、所定の条件に合うインク量の値に調整する最適化処理を行う（ステップＳ２１０）。この最適化処理の際に、ＣＰＵ３１０は、多角度分光プリンティングモデルコンバーターＲＣ、メタリック程度値コンバーターＤｍＣ、メタリック色彩値コンバーターＣｍＣを用いる。最適化処理については、後で詳しく説明する。
【００５１】
最適化処理後、ＣＰＵ３１０は、各インク量の値を最適化したインク量セット（以下、最適インク量セットとも呼ぶ）を処理対象格子点に上書きすることによって、初期ＬＵＴ３３２を更新する（ステップＳ２２２）。ＣＰＵ３１０は、このようなインク量セットの最適化および更新を、初期ＬＵＴ３３２の全ての格子点を処理対象格子点として行い（ステップＳ２２４）、ＬＵＴ生成処理を終了する。また、ＬＵＴ生成処理終了後には、ＲＡＭ３３０の初期ＬＵＴ３３２は更新され、色変換ＬＵＴ６４が生成されている。このようにして、ＬＵＴ生成処理は行われる。
【００５２】
（Ａ４）最適化処理：
次に、最適化処理（ステップ２１０）について説明する。まず、最適化処理に用いる多角度分光プリンティングモデルコンバーターＲＣ、メタリック程度値コンバーターＤｍＣ、メタリック色彩値コンバーターＣｍＣについて説明する。図８は、多角度分光プリンティングモデルコンバーターＲＣについて説明する説明図である。図８（Ａ）に示すように、多角度分光プリンティングモデルコンバーターＲＣは、任意のインク量セット（Ｃ，Ｍ，Ｙ，Ｋ，Ｍｔ）を、多角度分光反射率Ｒ（λ，θ，ｉ）に変換するコンバーターである。本実施例では、多角度分光反射率Ｒ（λ，θ，ｉ）を、下記式（１）で定義する。
【００５３】
（数１）
Ｒ（λ，θ，ｉ）＝Ｒｃ（λ，θ，ｉｃ）・Ｒｍ（λ，θ，ｉｍ）／Ｒｗ（λ，θ）…（１）
λ：反射光の波長要素
θ：反射光の反射角要素
ｉ：印刷処理に用いるインクのインク量（Ｃ，Ｍ，Ｙ，Ｋ，Ｍｔ）
ｉｃ：カラーインクのインク量セット（Ｃ，Ｍ，Ｙ，Ｋ）
ｉｍ：メタリックインクのインク量（Ｍｔ）
【００５４】
式（１）において、Ｒｃ（λ，θ，ｉｃ）は、カラーインクのインク量セットｉｃにおける印刷画像の多角度分光反射率を示している。Ｒｍ（λ，θ，ｉｍ）は、メタリックインク単色のインク量ｉｍにおける印刷画像の多角度分光反射率を示している。Ｒｗ（λ，θ）は、所定の印刷媒体、すなわち印刷処理に用いる印刷媒体の地色の多角度分光反射率を示している。なお、本実施例においては、分光反射率Ｒ（λ，θ，ｉ）を式（１）において算出するが、それに限らず、分光反射率Ｒ（λ，θ，ｉ）に影響を与える外的要因をパラメーターや係数として付加した関係式を用いて分光反射率Ｒ（λ，θ，ｉ）を算出するとしてもよい。
【００５５】
図８（Ｂ）は、多角度分光プリンティングモデルコンバーターＲＣを概念的に説明する説明図である。多角度分光プリンティングモデルコンバーターＲＣは、所定の組数のインク量セット（Ｃ，Ｍ，Ｙ，Ｋ，Ｍｔ）におけるＲｃ（λ，θ，ｉｃ）、およびＲｍ（λ，θ，ｉｍ）の実測値（測定値）から、任意のインク量セット（Ｃ，Ｍ，Ｙ，Ｋ，Ｍｔ）における多角度分光反射率Ｒ（λ，θ）を予測する予測モデルである。多角度分光プリンティングモデルコンバーターＲＣは、多角度分光反射率Ｒ（λ，θ）を予測する際、カラーインクのインク量セットにおける多角度分光反射率Ｒｃ（λ，θ，ｉｃ）と、メタリックインクの多角度分光反射率Ｒｍ（λ，θ，ｉｍ）とを別個に予測し、予測した各反射率から多角度分光反射率Ｒ（λ，θ）を式（１）による演算をすることにより算出する。
【００５６】
カラーインクのインク量セットにおける多角度分光反射率Ｒｃ（λ，θ，ｉｃ）の予測方法について説明する。まず、カラーインク（Ｃ，Ｍ，Ｙ，Ｋ）のインク量空間における複数の代表点について実際にカラーパッチを印刷し、その多角度分光反射率（本実施例では、反射角θ＝０°，−４５°）を分光反射率計によって測定する。そして、測定により得られた多角度分光反射率のデータベースを用い、多角度の分光反射率に拡張したセル分割ユール・ニールセン分光ノイゲバウアモデル（Cellular Yule-Nielsen Spectral Neugebauer Model：以下、ＣＹＮＳＮモデルとも呼ぶ）による予測を行うことにより、任意のカラーインクのインク量セット（Ｃ，Ｍ，Ｙ，Ｋ）で印刷を行った場合の多角度分光反射率Ｒｃ（λ，θ，ｉｃ）を予測する。なお、セル分割ユール・ニールセン分光ノイゲバウアモデル（Cellular Yule-Nielsen Spectral Neugebauer Model）による予測については、公知の技術であるので（例えば、特開２００７−５１１１６１）、説明は省略する。
【００５７】
メタリックインクの多角度分光反射率Ｒｍ（λ，θ，ｉｍ）の予測方法について説明する。まず、数段階にインク量を変化させて、各インク量におけるメタリックインク単色の色見本としての印刷画像（以下、メタリックパッチとも呼ぶ）を実際に印刷し、各メタリックパッチの多角度分光反射率を実際に分光反射率計によって測定（実測）する。そして、測定によって得られた各メタリックインクのインク量における多角度分光反射率のデータベースを用い、補間演算（例えば線形補間）を行うことにより、任意のメタリックインクのインク量で印刷を行った場合の多角度分光反射率Ｒｍ（λ，θ，ｉｍ）を予測する。
【００５８】
印刷媒体の地色の多角度分光反射率であるＲｗ（λ，θ）は、実際に印刷媒体を分光反射率計で測定することによって取得する。多角度分光プリンティングモデルコンバーターＲＣは、このようにして、入力された任意のインク量セット（Ｃ，Ｍ，Ｙ，Ｋ，Ｍｔ）に対して、（Ｃ，Ｍ，Ｙ，Ｋ）から多角度分光反射率Ｒｃ（λ，θ，ｉｃ）を予測し、（Ｍｔ）から多角度分光反射率Ｒｍ（λ，θ，ｉｍ）を予測し、予め測定によって取得している印刷媒体の多角度分光反射率Ｒｗ（λ，θ）を用いて、演算により式（１）に示したＲ（λ，θ，ｉ）を出力する。
【００５９】
次に、メタリック色彩値コンバーターＣｍＣ及びメタリック程度値コンバーターＤｍＣについて説明する。図９は、メタリック色彩値コンバーターＣｍＣ及びメタリック程度値コンバーターＤｍＣについて説明する説明図である。メタリック色彩値コンバーターＣｍＣは、多角度分光プリンティングモデルコンバーターＲＣがインク量セット（Ｃ，Ｍ，Ｙ，Ｋ，Ｍｔ）に対して出力した多角度分光反射率Ｒ（λ，θ）を取得し、反射角θ＝０°と反射角θ＝−４５°におけるＲ（λ）を算出する。そして、算出した２つのＲ（λ）（θ＝０°，−４５°）の各々に対して、等色関数を用いてＬ*ａ*ｂ*値を算出する。そして、算出した２つのＬ*ａ*ｂ*値を用いて所定の方法により、メタリック色彩値Ｃｍとしての（Ｒ，Ｇ，Ｂ）を特定する。２つのＬ*ａ*ｂ*値から、メタリック色彩値Ｃｍを特定する方法としては、例えば、上述したように、画像データＯＲＧ−Ａにおけるメタリック色彩値Ｃｍを特定する方法を用いることができる。
【００６０】
一方、メタリック程度値コンバーターＤｍＣは、多角度分光プリンティングモデルコンバーターＲＣがインク量セット（Ｃ，Ｍ，Ｙ，Ｋ，Ｍｔ）に対して出力した多角度分光反射率Ｒ（λ，θ）を取得し、例えば、反射角θ＝−３０°、−４５°の２つの反射角における分光反射率によってメタリック程度値Ｄｍを規定する場合、反射角θ＝−３０°、−４５°における分光反射率Ｒ（λ）を算出する。そして、それぞれ算出した分光反射率Ｒ（λ）に対して、等色関数を用いてＬ*ａ*ｂ*値を各々算出する。その後、算出したＬ*ａ*ｂ*値のうちの各Ｌ*（−３０°）とＬ*（-４５°）とを用いて、所定の方法によりメタリック程度値Ｄｍを特定する。複数の明度値Ｌ*からスカラー量としてのメタリック程度値Ｄｍを特定する方法としては、例えば、上述したように、画像データＯＲＧ−Ａにおけるメタリック程度値Ｄｍを特定する方法を用いることができる。
【００６１】
以上説明した、多角度分光プリンティングモデルコンバーターＲＣ、メタリック程度値コンバーターＤｍＣ、及びメタリック色彩値コンバーターＣｍＣを用いて、ＣＰＵ３１０は最適化処理を行う。図１０は、ＣＰＵ３１０が行う最適化処理の流れについて示したフローチャートである。最適化処理を開始すると、ＣＰＵ３１０は、ＬＵＴ生成処理（図７：ステップＳ２０４）として読み込んだ処理対象格子点のインク量セットを、最適化の初期値（以下、初期インク量セットとも呼ぶ）として設定する（ステップＳ２１１）。
【００６２】
そして、図１０の下部に示したように、上述した多角度分光プリンティングモデルコンバーターＲＣ、メタリック程度値コンバーターＤｍＣ、メタリック色彩値コンバーターＣｍＣと、下記式（２）に定義した評価関数を用いて、評価値Ｅが最小になるように初期インク量セット（Ｃ，Ｍ，Ｙ，Ｋ，Ｍｔ）の各インク量の値を調整する（ステップＳ２１２）。図１０の下部に示したｉｘ＝（Ｃｘ，Ｍｘ，Ｙｘ，Ｋｘ，Ｍｔｘ）は、インク量セットの調整時に、多角度分光プリンティングモデルコンバーターＲＣに入力する調整インク量セットを示しており、ＣｍｘおよびＤｍｘは、調整インク量セットｉｘに対してＲＣ，ＤｍＣ，ＣｍＣを介して出力されるメタリック色彩値Ｃｍ（＝Ｒ，Ｇ，Ｂ）、及びメタリック程度値Ｄｍを示している。
【００６３】
【数２】
2013005070.tif 000003
【００６４】
上記式（２）における、ｗ１およびｗ２は、所定の重み係数を示している。＜＞はベクトルを意味する。Ｃｍ０，Ｄｍ０は、所定の方法（例えば、実験および実験値に基づいた補間）により設定した目標値としてのＣｍ０，Ｄｍ０である。この他、Ｃｍ０，Ｄｍ０は、ＩＣＣプロファイルに準拠した値を採用するなど、種々の方法により設定が可能である。また、評価値Ｅの値が最小値になるようなインク量の調整方法としては、最急降下法や、準ニュートン法、シンプレックス法などの最適化手法を採用することができる。
【００６５】
また本実施例では、評価関数として上記式（２）を採用したが、Ｃｍｘ及びＤｍｘをパラメーターとする下記式（３）に示す一般式の形式の他の評価関数を採用してもよい。また、評価関数の評価因子として、隣接格子点との階調性を評価する項や、インクドットの粒状性を評価する項、その他、印刷画像の画質を制御するための項を加えてもよい。
【００６６】
【数３】
2013005070.tif 000004
【００６７】
このようにして、初期インク量セットに対して各インク量の調整を行った後、ＣＰＵ３１０は、評価値Ｅが最小になるインク量セット（Ｃ，Ｍ，Ｙ，Ｋ，Ｍｔ）を最適インク量セットとして出力し、上述したＬＵＴ生成処理（図７）におけるステップＳ２２２において、最適インク量セットを用いて初期ＬＵＴ３３２を更新する。以上、最適化処理について説明した。
【００６８】
以上説明したように、この印刷システム１０によると、印刷対象画像における色彩と、光沢の程度とを、画像の多角度分光反射率に基づくメタリック色彩値Ｃｍとメタリック程度値Ｄｍとを用いて規定しており、印刷処理時には、画像データＯＲＧのメタリック色彩値Ｃｍとメタリック程度値Ｄｍとに基づいてメタリックインクのインク量を特定するため、印刷画像において金属光沢の色彩および光沢の程度を好適に再現することができる。
【００６９】
また、本実施例における印刷システム１０では、物体表面を観察した際にブロンジングを生じやすい正反射（反射角θ＝−４５°）の分光反射率に基づいて、メタリック色彩値Ｃｍを規定している。よって、印刷対象物のブロンジングに影響された色彩値を、印刷画像上で再現することが可能である。また、多角度分光プリンティングモデルコンバーターＲＣが任意のカラーインクのインク量セット（Ｃ，Ｍ，Ｙ，Ｋ）の多角度分光反射率Ｒ（λ，θ，ｉｃ）を予測する処理において、多角度の分光反射率に拡張したＣＹＮＳＮモデルを用いて予測を行うので、精度の高い予測を行うことが可能である。
【００７０】
さらに、本実施例では、多角度分光反射率Ｒ（λ，θ，ｉ）を、カラーインクのインク量セット（Ｃ，Ｍ，Ｙ，Ｋ）の分光反射率Ｒｃ（λ，θ，ｉｃ）と、メタリックインク（Ｍｔ）単色のインク量における多角度分光反射率Ｒｍ（λ，θ，ｉｍ）との積として定義する。そして、メタリックインク単色のインク量における多角度分光反射率Ｒｍ（λ，θ，ｉｍ）については、メタリックインク単色のインク量を数段階に変化させて生成した色見本（メタリックパッチ）において測定した多角度分光反射率から、比較的簡単な補間演算により、任意のメタリックインクのインク量における多角度分光反射率を予測する。これらのことから、メタリックインクを含めたインク量セット（Ｃ，Ｍ，Ｙ，Ｋ，Ｍｔ）の多角度分光反射率Ｒ（λ，θ，ｉ）を直接的に測定および予測をする場合と比較して、少ない情報量で多角度分光反射率Ｒ（λ，θ，ｉ）を予測することができ、測定等に要する作業工手も少なく抑えることができる。
【００７１】
Ｂ．変形例：
なお、この発明は上記の実施例や実施形態に限られるものではなく、その要旨を逸脱しない範囲において種々の態様において実施することが可能であり、例えば次のような変形も可能である。
（Ｂ１）変形例１：
上記実施例においては、分光反射率Ｒ（λ，θ，ｉ）を式（１）において算出したが、それに限らず、分光反射率Ｒ（λ，θ，ｉ）に影響を与える外的要因をパラメーターや係数として付加した関係式を用いて分光反射率Ｒ（λ，θ，ｉ）を算出するとしてもよい。これにより、分光反射率Ｒ（λ，θ，ｉ）の精度を向上させることができる。
【００７２】
（Ｂ２）変形例２：
上記実施例においては、多角度分光プリンティングモデルコンバーターＲＣが、カラーインクのインク量セット（Ｃ，Ｍ，Ｙ，Ｋ）の多角度分光反射率Ｒ（λ，θ，ｉｃ）を予測する処理において、多角度の分光反射率に拡張したＣＹＮＳＮモデルを用いて予測を行うとしたが、それに限らず、例えば、ニューラルネットワークを用いて多角度分光反射率Ｒ（λ，θ，ｉｃ）を特定するとしてもよい。図１１は、ニューラルネットワークによる多角度分光反射率Ｒ（λ，θ）の予測を説明する説明図である。図示するように、例えば、入力層がインク量、出力層が多角度の反射率の各成分となる３層ネットワークにより実現することができる。ニューラルネットワークは、一般的な手法により設計することができ、各ノード（ニューロン）への複数の入力ｘｉは下記式（４）のように変換される。
【００７３】
【数４】
2013005070.tif 000005
【００７４】
ここで、ｉはニューロンへの入力を識別し、ａｉは各入力への重み、ｂはバイアスとしてのパラメーターを示す。ψは伝達関数を表し、線形変換やシグモイド関数などを採用することができる。これらのパラメーターａｉ，ｂは、中間層ならびに出力層において存在し、それぞれのパラメーターをバックプロパゲーションなどの学習により決定する。このような方法によってインク量セット（Ｃ，Ｍ，Ｙ，Ｋ）からＲ（λ，θ）を予測するとしても、上記実施例と同様に、印刷画像において金属光沢を好適に再現することができる。さらに、比較的簡易な処理によってニューラルネットワークを構築することが可能であるため、多角度分光プリンティングモデルコンバーターＲＣを簡易に生成することができる。
【００７５】
（Ｂ３）変形例３：
上記実施例においては、印刷装置が備えるカラーインクとして、Ｃ、Ｍ、Ｙ、Ｋを採用したが、例えば、ライトシアン（Ｌｃ）、ライトマゼンダ（Ｌｍ）等も採用して、上記実施例における印刷システム１０を拡張することができる。このほか、印刷において再現可能な色の領域を拡張するためのオレンジ（Ｏｒ）やグリーン（Ｇ）等のインクを用いて印刷システム１０を拡張することができる。
【００７６】
（Ｂ４）変形例４：
上記実施例においては、メタリックインクとカラーインクとにより印刷を行う構成を採用し説明したが、カラーインクと種々の特殊光沢インクを用いた構成を採用することができる。特殊光沢インクとは、印刷を経た印刷媒体表面において特殊光沢を呈するインクであり、メタリック感を発現する顔料を含有するメタリックインクのほかに、印刷媒体表面に印刷されたインクの光学的特性が反射角依存性を有し、見る角度によって様々な見え方を呈するインクとしてもよい。かかるインクとしては、具体的には、メタリックインクのほかに、媒体表面への定着後に真珠光沢感を発現する顔料を含有する真珠光沢インク、媒体表面への定着後に乱反射を起こしていわゆるラメ感やなし地感を発現するよう微小凹凸を有する顔料を含有するラメインクやなし地インクを用いることができる。その他、艶を再現するためのクリアインク、金色を有するゴールドインクなどの、質感を再現するための特殊光沢インクを採用して、上記印刷システム１０に適用することができる。このようにすることで、種々な質感を再現することができる。
【００７７】
（Ｂ５）変形例５：
上記実施例においては、画像データＯＲＧ−Ａにおけるメタリック程度値Ｄｍは、印刷対象物の多角度分光反射率より特定したスカラー量を採用したが、メタリックのインク量（Ｍｔ）をそのまま記録した画像データＯＲＧ、例えば（Ｒ，Ｇ，Ｂ，Ｍｔ）として記録された画像データＯＲＧのＭｔを、そのままメタリック程度値Ｄｍと解釈、または、所定の変換によってメタリック程度値Ｄｍと解釈し、印刷処理を行うとしてもよい。
【００７８】
（Ｂ６）変形例６：
メタリック色彩値Ｃｍおよびメタリック程度値Ｄｍを規定する場合に用いる多角度分光反射率の反射角θは、上記実施例に採用した以外の反射角θを採用してもよい。このようにしても、上記実施例と同様の効果を得ることができる。
【００７９】
（Ｂ７）変形例７：
上記説明した色変換ルックアップテーブル６４を用いた色変換処理は、種々の態様で実現することができる。例えば、作成した色変換ルックアップテーブル６４をプリンター２００が備える記憶部（例えばＲＯＭ）に記憶させ、プリンター２００が色変換ルックアップテーブル６４を用いて色変換処理を行うとしてもよい。他の構成としては、上記実施例のように、作成した色変換ルックアップテーブル６４を、印刷装置と通信可能なコンピューターなどの記憶部（例えば、ハードディスクやＲＯＭやＲＡＭ）に記憶させ、コンピューターで色変換処理した画像データを印刷装置へ送信してもよい。さらに他の態様としては、色変換ルックアップテーブル６４を印刷装置やコンピューターの記憶部に記憶させなくても、サーバーなどに格納しておき、その格納と共に、その色変換ルックアップテーブル６４がプリンター２００に使用可能な旨が認識可能に関連付けられている態様を採用することもできる。
【符号の説明】
【００８０】
１０…印刷システム
２０…ＣＰＵ
３０…アプリケーションプログラム
３１…ソースプロファイル
３２…メディアプロファイル
４０…ビデオドライバー
５０…プリンタードライバー
５２…色変換モジュール
５４…ハーフトーンモジュール
５６…インターレースモジュール
６２…ＲＡＭ
６４…色変換ルックアップテーブル
７０…ディスプレイ
７２…キーボード
７４…マウス
８０…データ供給部
１００…コンピューター
２００…プリンター
２２０…制御回路
２２５…操作パネル
２３０…キャリッジモーター
２３１…駆動ベルト
２３２…プーリー
２３３…摺動軸
２３５…モーター
２３６…プラテン
２４０…キャリッジ
２４１…インクカートリッジ
２６０…印刷ヘッド
２６１〜２６６…ノズル列
３００…色変換ＬＵＴ生成装置
３１０…ＣＰＵ
３１２…処理対象格子点選択部
３１４…最適化処理部
３３０…ＲＡＭ
３３２…初期ＬＵＴ
ＯＲＧ−Ａ〜Ｄ…画像データ
Ｐ…印刷媒体
ＲＣ…多角度分光プリンティングモデルコンバーター
ＤｍＣ…メタリック程度値コンバーター
ＣｍＣ…メタリック色彩値コンバーター
Ｄｍ…メタリック程度値
Ｃｍ…メタリック色彩値
ｉｘ…調整インク量セット
【図１】
2013005070.tif 000006
【図２】
2013005070.tif 000007
【図３】
2013005070.tif 000008
【図４】
2013005070.tif 000009
【図５】
2013005070.tif 000010
【図６】
2013005070.tif 000011
【図７】
2013005070.tif 000012
【図８】
2013005070.tif 000013
【図９】
2013005070.tif 000014
【図１０】
2013005070.tif 000015
【図１１】
2013005070.tif 000016